(57)【要約】      （修正有）【課題】前方から飛来する吐息や飛沫、或いはウィルスのような有害微生物、花粉などのアレルギー物質などが貫通してユーザーの口や鼻から体内へ取り入れられるのを可及的に防止でき、さらに耐久性があり、簡単に何回でも清掃できて、繰り返し使用できるマスク用カバー、並びにこのマスク用カバーを用いた衛生マスクを提供する。【解決手段】マスク用カバー２は、金属製プレート３であって、平面から見て人の鼻及び口を含む顔面領域を覆うことができるように湾曲し、鼻の当たる部分の両側に凹部３ｂを設けたカバー部３と、カバー部３の両端部に取り付けた一対の耳掛け紐８とで構成した。衛生マスク１は、金属製プレート３の裏側に通気性を有するクッション材４が着脱可能に設けられ、さらにこのクッション材４の裏側にフィルター部材が設けられている。【選択図】図１
0003228816.tif 000002
【実用新案登録請求の範囲】
【請求項１】
金属製プレート製であって、平面から見て人の鼻及び口を含む顔面領域を覆うことができるように湾曲し、前記鼻の当たる部分の両側に凹部を設けたカバー部と、このカバー部の両端部に取り付けた一対の耳掛け紐とで構成したことを特徴とする、マスク用カバー。
【請求項２】
前記金属製プレートは、アルミニウムやジュラルミンなどの軽量の金属から成ることを特徴とする、請求項１に記載のマスク用カバー。
【請求項３】
前記金属製プレートの略中央部には、平行な複数の溝部が設けられていることを特徴とする、請求項１に記載のマスク用カバー。
【請求項４】
前記金属製プレートの中央部には、円形若しくは長円形の開口部が設けられていることを特徴とする、請求項１に記載のマスク用カバー。
【請求項５】
前記金属製プレートは、アルミニウムで構成されると共にアルマイト加工がなされていることを特徴とする、請求項１に記載のマスク用カバー。
【請求項６】
前記金属プレートはさらに、側面から見ても外側に湾曲していることを特徴とする、請求項１に記載のマスク用カバー。
【請求項７】
前記金属製プレートには、この金属製プレートで覆われる以外の顔面を覆う透明な保護カバーが着脱可能に設けられていることを特徴とする、請求項１に記載のマスク用カバー。
【請求項８】
請求項１乃至７のいずれか１項に記載のマスク用カバーを有し、前記金属製プレートの裏側に通気性を有するクッション材が着脱可能に設けられ、さらにこのクッション材の裏側にフィルター部材が設けられていることを特徴とする、衛生マスク。
【請求項９】
前記金属製プレートには、この金属製プレートで覆われる以外の顔面を覆う透明な保護カバーが着脱可能に設けられていることを特徴とする、請求項１に記載のマスク用カバー。
【請求項１０】
前記金属製プレートには、この金属製プレートで覆われる以外の顔面を覆う透明な保護カバーが着脱可能に設けられていることを特徴とする、請求項８に記載の衛生マスク。
【請求項１１】
前記保護カバーは、平面から見て前記金属製プレートの形状に合わせて湾曲していることを特徴とする、請求項９に記載のマスク用カバー。
【考案の詳細な説明】
【技術分野】
【０００１】
本考案は、金属製プレートのマスク用カバー並びにこのマスク用カバーを用いた衛生マスク、さらに顔面ガード板としての保護カバー付きのマスク用カバー並びにマスク用カバーを用いた衛生マスクに関する。
【背景技術】
【０００２】
衛生マスクは、ウイルス、病原菌、カビの胞子、花粉、粉塵、土埃等の有害微粒子の呼吸吸引を排除する実用的な目的に基づいて、鼻及び口を含む顔面領域に重ねて装着される。衛生マスクは、不織布又は織布から形成されて１〜２日程度で全体を使い捨てて使用されるものが多い。
【０００３】
しかし、顔面領域に重ねて装着されるカバー部材の内側にフィルター部材を交換可能に取り付けた衛生マスクが提案されている（特許文献１、特許文献２）。特許文献１には、枠状の開口を形成した硬質樹脂のカバー部材の内側にフィルター部材を取り付けた衛生マスクが開示されている。特許文献２には、メッシュ状の開口が形成された金属製のカバー部材の内側にフィルター部材を取り付けた衛生マスクが開示されている。
【先行技術文献】
【特許文献】
【０００４】
【特許文献１】特表２０１０−５４００２４号公報
【特許文献２】特開昭６３−７１２７０号公報
【考案の概要】
【考案が解決しようとする課題】
【０００５】
従来の使い捨ての衛生マスク、或いは特許文献１、２の衛生マスクは、ユーザーの呼吸に伴って衛生マスクを厚み方向に貫通して往復する空気の流れが形成される。このため、長時間使用した衛生マスクの正面側の表面には、ウィルス等の有害微粒子が濃縮されて付着している。表面に濃縮された有害微粒子は、衛生用マスクの着脱に伴って、手指を介してユーザーの体内に取り込まれる可能性がある。したがって、ユーザーの呼吸に伴って正面側の表面に有害微粒子が濃縮し難い衛生マスクが求められている。
【０００６】
従来の使い捨ての衛生マスク、或いは特許文献１、２の衛生マスクは、表面に凹凸の多い組織構造を有する。このため、ユーザーの呼吸に伴って組織構造の奥深くにウィルス等の有害微粒子が蓄積されてしまい、表面からの単純な拭き取り、洗浄、空気吹き付け等では衛生マスクから有害微粒子を除去し難い。したがって、表面の組織構造が滑らかで外側からの有害微粒子の拭き取り、洗浄、空気吹き付け等による有害微粒子の除去が容易な衛生マスクが求められている。
【０００７】
本考案の目的は、ユーザーの前方から飛来する人間の吐息や飛沫、或いはウィルスのような有害微生物、花粉などのアレルギー物質などがマスクを貫通してユーザーの口や鼻から体内へ取り入れられるのを可及的に防止でき、さらに耐久性があり、簡単に何回でも清掃できて、繰り返し使用できるマスク用カバー並びにこのマスク用カバーを用いた衛生マスクを提供せんとするにある。
本考案の次の目的は、マスク用カバーを利用して、顔面ガード板としての保護カバー付きのマスク用カバー並びにこのマスク用カバーを取り付けた衛生マスクを提供せんとするにある。
【課題を解決するための手段】
【０００８】
このような問題を解決するために、請求項１のマスク用カバーは、金属製プレートであって、平面から見て人の鼻及び口を含む顔面領域を覆うことができるように湾曲し、前記鼻の当たる部分の両側に凹部を設けたカバー部と、このカバー部の両端部に取り付けた一対の耳掛け紐とで構成したことを特徴とする。
【０００９】
請求項２のマスク用カバーは、前記金属製プレートがアルミニウムやジュラルミンなどの軽量の金属製プレートで構成されていることを特徴とする。
【００１０】
請求項３のマスク用カバーは、前記金属製プレートの略中央部に、平行な複数の溝部が設けられていることを特徴とする。
【００１１】
請求項４のマスク用カバーは、前記金属製プレートの中央部に、円形若しくは長円形の開口部が設けられていることを特徴とする。
【００１２】
請求項５のマスク用カバーは、前記金属製プレートがアルミニウムで構成されると共にアルマイト加工がなされていることを特徴とする。
【００１３】
請求項６のマスク用カバーは、前記金属プレートがさらに、側面から見ても外側に湾曲していることを特徴とする。
【００１４】
請求項７の衛生マスクは、請求項１に記載のマスク用カバーを有し、前記金属製プレートの裏側に通気性を有するクッション材が着脱可能に設けられ、さらにこのクッション材の裏側にフィルター部材が設けられていることを特徴とする。
【００１５】
請求項８のマスク用カバーは、前記金属製プレートに、この金属製プレートで覆われる以外の顔面を覆う透明な保護カバーが着脱可能に設けられていることを特徴とする。
【００１６】
請求項９の衛生マスクは、前記金属製プレートに、この金属製プレートで覆われる以外の顔面を覆う透明な保護カバーが着脱可能に設けられていることを特徴とする。
【００１７】
請求項１０のマスク用カバーは、前記保護カバーが平面から見て前記金属製プレートの形状に合わせて湾曲していることを特徴とする。
【００１８】
請求項１１の衛生マスクは、前記保護カバーが平面から見て前記金属製プレートの形状に合わせて湾曲していることを特徴とする。
【考案の効果】
【００１９】
請求項１のマスク用カバーによれば、ユーザーの前方から飛来する人間の吐息や飛沫、或いはウィルスのような有害微生物、花粉などのアレルギー物質などがマスクを貫通してユーザーの口や鼻から体内へ取り入れられるのを可及的に防止でき、さらに耐久性があり、簡単に何回でも清掃できて、繰り返し使用できるマスク用カバーを提供することができる。
【００２０】
請求項２のマスク用カバーによれば、金属製プレートが軽量であるため、長時間の装着が苦にならない。
【００２１】
請求項３、４のマスク用カバーによれば、ユーザーが開口を通じて金属製プレートに遮られることなく明瞭な言葉を発声して、音声を用いた会話、指令指示、コミュニケーションを行うことができる。
【００２２】
請求項５のマスク用カバーによれば、アルマイト加工することにより、金属製プレートの剛性を高めると共に、アルマイト加工面に特有な色彩をデザインに取り入れた軽量で高級感のある衛生マスクを低コストに製作できる。
【００２３】
請求項６の保護カバーによれば、より顔の左右及び上下の形状に合わせた保護カバーを提供できる。
【００２４】
請求項７の衛生マスクによれば、ユーザーの前方から飛来する人間の吐息や飛沫、或いはウィルスのような有害微生物、花粉などのアレルギー物質などが貫通してユーザーの口や鼻から体内へ取り入れられるのを可及的に防止でき、さらに耐久性があり、簡単に何回でも清掃できて、繰り返し使用できる衛生マスクを提供することができる。
【００２５】
請求項８のマスク用カバーによれば、前方から飛来する吐息や飛沫、有害微生物、アレルギー物質などから金属製プレートで覆われる以外の顔面をガードする顔面ガード板としての保護カバー付きのマスク用カバーを提供することができる。
【００２６】
請求項９の衛生マスクによれば、前方から飛来する吐息や飛沫、有害微生物、アレルギー物質などから金属製プレートで覆われる以外の顔面をガードする顔面ガード板としての保護カバー付きの衛生マスクを提供することができる。
【００２７】
請求項１０のマスク用カバーによれば、前記保護カバーがユーザーの顔の周囲で不必要な接触を起こし難い。また、前方から飛来する吐息や飛沫、有害微生物、アレルギー物質などが金属製プレートと保護カバーの隙間を通過し難い。
【００２８】
請求項１１の衛生マスクによれば、前記保護カバーがユーザーの顔の周囲で不必要な接触を起こし難い。また、前方から飛来する吐息や飛沫、有害微生物、アレルギー物質などが金属プレートと保護カバーの隙間を通過し難い。
【図面の簡単な説明】
【００２９】
【図１】本考案の実施の形態１の衛生マスクを、ユーザーが装着した状態を説明する正面図である。
【図２】本考案の実施の形態１の衛生マスクの外観を説明する斜視図である。
【図３】本考案の実施の形態１の衛生マスクのマスク用カバーの構造の説明図である。（ａ）は正面図、（ｂ）は平面図、（ｃ）は（ａ）のＸ−Ｘ断面図である。
【図４】本考案の実施の形態１の衛生マスクのクッション材及びフィルター部材の構造の説明図である。（ａ）はクッション材の正面図、（ｂ）はフィルター部材の背面図、（ｃ）はクッション材とフィルター部材を重ねた状態の平面図である。
【図５】本考案の実施の形態１の衛生マスクにおけるマスク用カバーのカバー部に沿ったユーザーの呼吸経路の説明図である。
【図６】図２に示す衛生マスクのマスク用カバーのカバー部に形成された開口の説明図である。（ａ）は平行な複数の溝状の開口、（ｂ）は長円形の開口、（ｃ）はマトリックス状に配置した微細孔の開口である。
【図７】本考案の実施の形態２に係る保護カバーを取り付けた衛生マスクを、ユーザーが装着した状態を説明する正面図である。
【図８】本考案の実施の形態２に係る保護カバーを取り付けた衛生マスクにおけるマスク用カバーの説明図である。（ａ）は正面図、（ｂ）は平面図、（ｃ）は（ａ）のＸ−Ｘ断面図である。
【図９】本考案の実施の形態２に係る保護カバーを取り付けた衛生マスクにおける保護カバーの説明図である。（ａ）は正面図、（ｂ）は（ａ）のＹ−Ｙ断面図、（ｃ）は下面図である。
【図１０】衛生マスクのマスク用カバーのカバー部の変形例の説明図である。（ａ）は図３（ａ）のＸ−Ｘに対応させたマスク用カバーのカバー部の断面図、（ｂ）はクッション材のクッション性の説明図である。
【考案を実施するための形態】
【００３０】
本考案の実施の形態を添付した図面を参照して詳細に説明する。図１〜図５に示すように、実施の形態１の衛生マスク１は、表面が滑らかな長円形の輪郭のカバー部３の裏面側にクッション材４が重ねられている。図６〜図９に示すように、実施の形態２の衛生マスク１Ｄは、保護カバー６をワンタッチで着脱可能である。なお、図３、図６では、マスク用カバー２において一部の耳掛け紐８を図示略して、カバー部３のみを図示している。
【００３１】
＜実施の形態１＞
図１、図２に示すように、衛生マスク１は、左右の耳掛け紐８をユーザーＵが左右の耳ｍ、ｍにそれぞれ掛けることにより、ユーザーＵの顔面領域ｄに重ねて装着される。衛生マスク１は、マスク用カバー２を有する。マスク用カバー２は、金属製プレートであって、平面から見て人の鼻ｂ及び口ｃを含む顔面領域ｄを覆うことができるように湾曲し、鼻ｂの当たる部分の両側に凹部３ｂを設けたカバー部３と、このカバー部３の両端部に取り付けた一対の耳掛け紐８とで構成される。
【００３２】
図３に示すように、カバー部３は、成型及び加工が容易な厚さ１ｍｍのアルミニウムの金属製プレートである。カバー部３は、長円形の輪郭の切り出しに続いて、凹部３ｂ、３ｂのプレス成型が行われている。成型後、カバー部３は、表面全体がアルマイト加工処理されて、曲げ剛性を高められると共に、全体が金色のアルマイト加工面で覆われている。衛生マスク１は、カバー部３にアルマイト加工することにより、外観デザインにアルマイト加工面に特有な色彩を取り入れつつ、軽量で剛性が高く、高級感のあるものとなっている。
【００３３】
なお、カバー部３の材料はアルミニウムには限らない。ジュラルミン、銅板、貴金属板、ステンレス板であってもよい。カバー部３の表面処理はアルマイト加工に限らない。金メッキ、塗装、エッチング等であってもよい。
【００３４】
カバー部３は、輪郭から左右の外側へ突出させて耳掛け紐取付部３ｅが設けられている。耳掛け紐取付部３ｅには開口５ａが形成され、開口５ａにゴム材料の耳掛け紐８が接続される。衛生マスク１は、耳掛け紐８、８が伸縮するので、衛生マスクを速やかに着脱できる。
【００３５】
カバー部３は、長円形の輪郭の上辺に一対の三角形の凹部３ｂ、３ｂを成型されている。凹部３ｂ、３ｂは、カバー部３の輪郭からそれぞれ下方へ向かって狭くなるように成型されている。凹部３ｂ、３ｂは、鼻ｂに隣接する左右の頬ｅの段差を埋めるように頬ｅ側へ突出して、鼻ｂと頬ｅに沿ったカバー部３と顔面ｆとの隙間を平均化している。カバー部３の上辺は、浅い角度の傾斜面３ｆ、３ｆを含む三角形の凹部３ｂ、３ｂによって補強されているため、衛生マスク１の着脱時や装着状態においてマスク用カバー２が塑性変形し難い。
【００３６】
図５に示すように、カバー部３の金属製プレートの裏側に通気性を有するスポンジ部材からなるクッション材４が着脱可能に設けられている。図４（ａ）に示すように、クッション材４は、柔軟なウレタンゴムの発泡材料で形成されて、装着時にクッション性と封止性を発揮する。クッション材４は、表面、裏面、及び側面に発泡組織の切断面を配置して厚み方向及び面方向の通気性を確保している。
【００３７】
図４（ｃ）に示すように、クッション材４の裏側にクッション材４の内側面を覆ってフィルター部材５が設けられている。図４（ｂ）に示すように、フィルター部材５は、クッション材４よりも有害微粒子を濾過又は吸着する性能が高い材料、例えば目の細かいガーゼからなる。カバー部３の凹部３ｂ、３ｂは、クッション材４及びフィルター部材５を介して鼻ｂを左右から挟み込む。
【００３８】
図４（ｂ）に示すように、カバー部３は、一点鎖線で示す長円形の輪郭に形成された突起を内側へＵ字型に折り曲げて合計４本のクッション材挟み部３ｄを成型している。クッション材挟み部３ｄは、内側にクッション材４及びフィルター部材５を圧縮状態で挟み込む。クッション材４及びフィルター部材５は、クッション材挟み部３ｄの周囲の圧縮されていない部分が盛り上がって、クッション材挟み部３ｄをユーザーＵの顔面ｆから浮き上がった位置に保持する。
【００３９】
図５に示すように、クッション材４は、マスク用カバー２に沿ったユーザーＵの呼吸経路を形成している。衛生マスク１では、ユーザーＵの呼吸に伴って、マスク用カバー２と顔面ｆの隙間を通じてクッション材４の側面４ｂへ外気が吸引される。クッション材４へ吸引された空気は、クッション材４の本体部４ａの厚みをマスク用カバー２に沿って移動して呼吸空間ｈへ吸引される。ユーザーは、呼吸の空気を、クッション材４の厚みに比べて長いクッション材４に沿った経路に迂回させて吸引するため、マスク用カバー２の正面側から飛来する有害微粒子の直接の吸引を回避できる。
【００４０】
マスク用カバー２は、クッション材４及びフィルター部材５を介して鼻ｂの頂点と下顎ｇに当接して鼻ｂと口ｃを覆い、鼻ｂの下に呼吸空間ｈを形成する。ユーザーＵは、フィルター部材５を通過して、呼吸空間ｈへ流入した空気を吸引する。呼吸空間ｈを介することで、ユーザーが吸引する空気がクッション材４の広い領域から供給されるため、マスク用カバー２によって外側を覆われたクッション材４を通じた呼吸が楽になる。また、吐き出す空気の湿気による衛生マスク１の局所的な結露や汚れを抑制できる。
【００４１】
ところで、マスク用カバーの正面側での有害微粒子の濃縮を避け、拭き取り、洗浄、空気吹き付け等によって有害微粒子を除去するためには、図１、図３に示すように、マスク用カバー２には開口を設けないことが望ましい。しかし、全く開口を有しないマスク用カバー２の場合、会話や指令指示を相手が聞き取りにくくなる。そこで、図６（ａ）、（ｂ）、（ｃ）に示すように、マスク用カバー２Ａ、２Ｂ、２Ｃに様々な形の開口を設けてもよい。
【００４２】
図６（ａ）に示すように、マスク用カバー２Ａにおいて、カバー部３Ａの金属製プレートの略中央部には、平行な複数の溝部３ｃが設けられている。衛生マスク１は、溝部３ｃを通じて音声を用いた会話や指令指示を、マスク用カバー２Ａに遮られることなく、明瞭に行うことができる。溝部３ｃは、マスク用カバー２Ａに遮られることなく、肉声による会話や指令指示を容易にするために設けられているから、溝部３ｃにラップフィルム等を貼付してもよい。しかし、呼吸に伴って溝部３ｃを少量の空気が出入りすることを禁止するものではない。同様に、図６（ｂ）に示すように、マスク用カバー２Ｂにおいて、カバー部３Ｂの金属製プレートの中央部には、円形若しくは長円形の開口部３ｇが設けられている。さらに、図６（ｃ）に示すように、マスク用カバー２Ｃにおいて、カバー部３Ｃの金属製プレートには多数の開口部３ｈがマトリックス状に配置して設けられている。
【００４３】
図１に示すように、衛生マスク１は、マスク用カバー２の正面側から顔面領域ｄへ向かう有害微粒子をカバー部３によって遮蔽するため、マスク用カバー２の正面側の表面が有害微粒子を通し難く、マスク用カバー２の正面側の表面の組織構造が滑らかである。このため、ユーザーの呼吸に伴ってマスク用カバー２の表面に有害微粒子が濃縮し難く、ティッシュ、ガーゼ等による有害微粒子の拭き取りが有効であって、洗浄及び乾燥を行ってカバー部３、クッション材４、フィルター部材５を再利用することも容易である。
【００４４】
また、衛生マスク１は、装着時にカバー部３と顔面ｆとの間にクッション材４が介装されるので、衛生マスク１の付け心地がよい。カバー部３と顔面ｆの隙間をクッション材４で埋めるので、クッション材４の外側を流れる気流が抑制されてクッション材４をバイパスしてユーザーが吸引する有害微粒子を減らすことができる。
【００４５】
さらに、衛生マスク１は、通勤通学、ショッピング、仕事中のオフィス、接客中の店舗等においては、ユーザーＵの外観を構成する服装や装身具の一部である。このため、外観や素材感を差別化した、ファッション性及び奇抜性の高い衛生マスクに対して一定の需要がある。このような需要に関して、衛生マスク１は、金色にアルマイト加工されたアルミニウムの金属板が正面に大きく目立つデザインとなっている。マスク用カバー２Ａ、２Ｂ、２Ｃの溝部３ｃ及び開口部３ｇ、３ｈは外観のアクセントになっている。したがって、衛生マスク１によれば、マスク用カバー２を用いて外観や素材感を通常の衛生マスクに比較して大きく差別化し、金属材料を大胆に用いたファッション性、奇抜性の高い衛生マスクを提供できる。
【００４６】
さらに、衛生マスク１は、空気とクッション材４の材料との接触面積及び接触時間を増やしているので、厚み方向の濾過性能が低いクッション材４であっても、有害微粒子の吸着、漉し取り、無害化、除去を効率よく行うことができる。衛生マスク１によれば、有害微粒子の除去性能が高い衛生マスクを、空気抵抗が比較的に小さいスポンジ材料を使用して実現できる。そして、有害微粒子の除去性能が高い衛生マスクの装着時の息苦しさを解消することができる。
【００４７】
＜実施の形態２＞
ユーザーの前方から飛来するウィルス等の有害微粒子は、目の粘膜を通じてユーザーの体内に侵入することがある。そこで、実施の形態２の衛生マスク１Ｄは、ユーザーＵの目を遮蔽する保護カバー６を、必要に応じてマスク用カバー２Ｄへ取り付け可能にした。なお、実施の形態２において、保護カバー６及び着脱部７以外の構造及び材料は実施の形態１と同一であるため、図７〜図９中、実施の形態１と共通する構成には図１〜図６と共通の符号を付して重複する説明を省略する。
【００４８】
図７に示すように、実施の形態２の衛生マスク１Ｄは、カバー部３Ｄの金属製プレートに、カバー部３Ｄで覆われる以外の顔面、特に目を覆う透明な保護カバー６がワンタッチで着脱可能に設けられている。図８、図９に示すように、保護カバー６は、平面から見てマスク用カバー２Ｄのカバー部３Ｄの金属製プレートの湾曲した形状に合わせて湾曲している。
【００４９】
着脱部７は、マスク用カバー２Ｄに固定された本体側係合部７ａと保護カバー６に固定された部材側係合部７ｅとを有し、マスク用カバー２Ｄに対して保護カバー６を上下にスライドさせて、本体側係合部７ａに部材側係合部７ｅを係合／係合解除自在である。図８に示すように、マスク用カバー２Ｄの正面側に本体側係合部７ａが固定されている。本体側係合部７ａは、ステンレス板をクランク型に曲げ加工して保持部７ｂと固定部７ｃとを形成しており、固定部７ｃを樹脂リベット７ｄによりマスク用カバー２Ｄに固定している。詳しくは、マスク用カバー２Ｄに形成された開口と固定部７ｃに形成された開口とを重ね合わせて、開口に樹脂リベット７ｄ、７ｄを挿入し、樹脂リベット７ｄ、７ｄの挿入端をかしめることで、マスク用カバー２Ｄに本体側係合部７ａが固定されている。
【００５０】
図９に示すように、保護カバー６は、塩化ビニル、アクリル、ＰＥＴ樹脂等の透明樹脂プレートであって、人間の顔の大きさとほぼ等しい大きさにカットされ、人間の顔の水平断面の湾曲に合わせた円筒面に成型されている。保護カバー６の背面側に部材側係合部７ｅが固定されている。部材側係合部７ｅは、ステンレス板をクランク型に曲げ加工して保持部７ｆと固定部７ｇとを形成しており、固定部７ｇを樹脂リベット７ｈにより保護カバー６に固定している。詳しくは、保護カバー６に形成された開口と固定部７ｇに形成された開口とを重ね合わせて、開口に樹脂リベット７ｈ、７ｈを挿入し、樹脂リベット７ｈ、７ｈの挿入端をかしめることで、保護カバー６に部材側係合部７ｅが固定されている。
【００５１】
図８（ｃ）、図９（ｂ）に示すように、本体側係合部７ａの保持部７ｂは、保護カバー６と部材側係合部７ｅの保持部７ｆの間隔に挿入されて突き当り位置で保持される。このとき、部材側係合部７ｅの保持部７ｆは、本体側係合部７ａの保持部７ｂとマスク用カバー２Ｄの隙間に挿入されて突き当り位置で保持される。
【００５２】
衛生マスク１Ｄによれば、ユーザーが目を保護しなくてはならない場合と保護しなくてよい場合との両方に対して短時間で対処できる。保護する場合には、マスク用カバー２Ｄに保護カバー６をワンタッチで取り付けて、前方から来る有害微粒子から目を遮蔽することができる。
【００５３】
なお、保護カバー６と部材側係合部７ｅの固定は、樹脂リベットに限らず、接着、ネジ止め、ピン圧入、溶接等に置き換えてもよい。同様に、マスク用カバー２Ｄと本体側係合部７ａの固定は、樹脂リベットに限らず、接着、ネジ止め、ピン圧入、スポット溶接等に置き換えてもよい。また、マスク用カバー２Ｄに対して着脱可能に取り付けられる部材は保護カバー６には限らない。衛生マスク１Ｄのマスク用カバー２Ｄは、様々な機器や機材を顔の近くで保持し、位置決めする際のベース、プラットフォーム、又はステーションとして広く活用できる。
【００５４】
図１０（ａ）、（ｂ）に示すように、マスク用カバー２Ｅは、水平断面に加えて垂直断面にも円弧断面を形成して三次元の湾曲面の基本形状とすることにより、形状の剛性をさらに高めている。このとき、マスク用カバー２Ｅのエッジとユーザーの顔面ｆとの角度が大きくなって、エッジが顔面ｆに食い込む可能性がある。このため、クッション材４の大きさをマスク用カバー２Ｅよりも大きくして、正面から見たときにクッション材４がマスク用カバー２Ｅの外側へはみ出すようにしてもよい。マスク用カバー２Ｅのエッジをクッション材４で覆って衛生マスク１Ｅの着け心地を改善することができる。
【産業上の利用可能性】
【００５５】
本考案の衛生マスクは、ウイルス、病原菌、カビの胞子、アレルギー物質、粉塵、土埃等の有害微粒子の呼吸吸引を排除する様々な衛生マスクで実施できる。本考案の衛生マスクは、耳掛け紐等を用いて顔面領域に装着される様々な実施の形態で実施可能である。耳掛け紐８、８は、耳掛けゴム、後頭部に回して取り付けるゴムバンド、ストラップ、リーシング、ハーネスに置き換えてもよい。
【００５６】
本考案の衛生マスクは、フィルター部材を設ける代わりに、クッション材のみを取り付けたマスク用カバーを、通常の独立した耳掛け紐を有する布又は不織布の衛生マスクの上に重ねて装着する形式で使用してもよい。クッション材は、スポンジ組織において有害微粒子の回収効率及び保持効率を高める改良を行ってもよい。活性炭を混合して有害微粒子を吸着したり、粘着剤のコーティングを行って有害微粒子を捕捉できるようにしてもよい。
【符号の説明】
【００５７】
Ｕ  ユーザー
ｂ  鼻
ｃ  口
ｄ  顔面領域
ｅ  頬
ｆ  顔面
ｇ  下顎
１、１Ｄ  衛生マスク
２、２Ａ、２Ｂ、２Ｃ、２Ｄ  マスク用カバー
３、３Ａ、３Ｂ、３Ｃ、３Ｄ  カバー部（金属製プレート）
３ｂ  凹部
３ｃ  溝部
３ｇ、３ｈ  開口部
３ｄ  クッション材挟み部
３ｅ  耳掛け紐取付部
４  クッション材（スポンジ部材）
４ａ  本体部
４ｂ  側面
５  フィルター部材
６  保護カバー
６ａ  透明部
７  着脱部
７ａ  本体側取付部材
７ｂ、７ｆ  係合部
７ｃ、７ｇ  取付部
７ｄ、７ｈ  樹脂リベット
７ｅ  部材側取付部材
８  耳掛け紐
【図１】
0003228816.tif 000003
【図２】
0003228816.tif 000004
【図３】
0003228816.tif 000005
【図４】
0003228816.tif 000006
【図５】
0003228816.tif 000007
【図６】
0003228816.tif 000008
【図７】
0003228816.tif 000009
【図８】
0003228816.tif 000010
【図９】
0003228816.tif 000011
【図１０】
0003228816.tif 000012
【手続補正書】
【提出日】令和2年8月5日(2020.8.5)
【手続補正１】
【補正対象書類名】実用新案登録請求の範囲
【補正対象項目名】請求項２
【補正方法】変更
【補正の内容】
【請求項２】
前記金属製プレートは、アルミニウムやジュラルミンの軽量の金属から成ることを特徴とする、請求項１に記載のマスク用カバー。